【事件の表示】
　特許第３３９９４５７号「画像処理方法、デジタルカメラ、および記録媒体」の請求項１ないし７に係る特許に対する特許異議の申立てについて、次のとおり決定する。
【結　論】
　訂正を認める。
　特許第３３９９４５７号の請求項１ないし７に係る特許を取り消す。
【理　由】
第１　手続の経緯
　特許第３３９９４５７号の請求項１ないし７に係る発明についての出願は、平成１２年１１月１５日に出願され、平成１５年２月２１日に設定登録され、その後、大木茂及び島田洋から特許異議の申立てがなされ、取消理由通知がなされ、その指定期間内である平成１６年７月２３日に訂正請求がなされたものである。
　
第２　訂正の適否
１　訂正事項
ａ)　特許請求の範囲の請求項１を、
「【請求項１】　デジタルカメラで撮影された、行アドレスと列アドレスとを有する一連の画像データの画像処理方法であって、
　(ａ)前記画像データを略等分割に分割指定する工程と、
　(ｂ)分割指定された領域毎に画像データをさらに行もしくは列方向に細分割する工程と、
　(ｃ)細分割された画像データを順次、所定のメモリにおいて一部を占めるバッファメモリ領域に格納する工程と、
　(ｄ)前記バッファメモリ領域に格納された画像データ単位で、画像処理を行う工程と、
　(ｅ)前記工程(ｃ)および前記工程(ｄ)を繰り返し、分割指定された画像データに対して画像処理を実行する工程と、
　(ｆ)前記工程(ｅ)完了後、前記工程(ｂ)ないし前記工程(ｅ)を繰り返し、前記画像データ全体の画像処理を実行する工程と、
を備えることを特徴とする画像処理方法。」と訂正する。
　
ｂ)　特許請求の範囲の請求項４を、
「【請求項４】　請求項１ないし請求項３のいずれかに記載の画像処理方法において、
　前記工程(ｃ)における画像データのバッファメモリ領域への格納は列方向に順次実行され、
　前記工程(ｄ)における画像処理は行方向に順次実行されることを特徴とする画像処理方法。」と訂正する。
　
ｃ)　特許請求の範囲の請求項５を、
「【請求項５】　請求項１ないし請求項３のいずれかに記載の画像処理方法において、
　前記工程(ｃ)における画像データのバッファメモリ領域への格納は行方向に順次実行され、
　前記工程(ｄ)における画像処理は列方向に順次実行されることを特徴とする画像処理方法。」と訂正する。
　
ｄ)　特許請求の範囲の請求項６を、
「【請求項６】　撮影によって得られた行アドレスと列アドレスとを有する一連の画像データをバッファメモリに順次格納し画像処理を繰り返し行うことにより、一連の画像データ全てに対して画像処理を実行する画像処理手段を備えるデジタルカメラであって、
　(ａ)前記画像データを略等分割に分割指定する手段と、
　(ｂ)分割指定された領域毎に画像データをさらに行もしくは列方向に細分割する手段と、
　(ｃ)細分割された画像データを順次、所定のメモリにおいて一部を占めるバッファメモリ領域に格納する手段と、
　(ｄ)前記バッファメモリ領域に格納された画像データ単位で、画像処理を行う手段と、
　(ｅ)分割指定された画像データに対して繰り返し画像処理を実行する手段と、
を備えることを特徴とするデジタルカメラ。」と訂正する。
　
ｅ)　発明の詳細な説明における段落０００８、００１１ないし００１３、００８１の記載を添付した全文訂正明細書のとおり訂正する。
　
２　訂正事項について
　上記訂正事項a)は、分割する工程を具体的に略等分割するように規定し、更にバッファメモリの構成を具体的に規定するもので、特許請求の範囲の減縮を目的とするもので、新規事項の追加に該当せず、実質上特許請求の範囲を拡張し、又は変更するものではない。
　また上記訂正事項b)ないしd)は、上記訂正事項ａ)と同趣旨の訂正を行うものである。
　さらに、上記訂正事項e)は、特許請求の範囲との整合を取るためのものであり、明りょうでない記載の釈明を目的とするものである。
　
　したがって、上記訂正事項a)ないしe)は、特許法１２０条の４第２項ただし書きに規定する特許請求の範囲の減縮及び明りようでない記載の釈明に相当するものである。
　また、上記訂正事項は、願書に添付した明細書又は図面に記載した事項の範囲内の訂正であり、実質上特許請求の範囲を拡張し、又は変更するものでもない。
　
３　むすび
　以上のとおりであるから、上記訂正は、特許法１２０条の４第２項及び３項で準用する特許法１２６条２項及び３項の規定に適合するので、当該訂正を認める。
　
第３　異議申立について
１　引用刊行物
(１) 異議申立人大木茂が提出し、取消理由に引用した甲第１号証である特開２０００−９２３４９号公報（平成１２年３月３１日公開、以下「刊行物１」という。）には次の事項が記載されている。
　
ア　段落０００１「【発明の属する技術分野】本発明は、静止画撮像装置に用いて好適な画像処理装置に関し、特に回路規模を削減した画像処理装置に関する。」
　
イ　段落０００２ないし００１１には、ディジタル・スチル・カメラが有するＣＣＤイメージセンサ２０１より得られた画像信号を入力処理/画像処理回路２０２に供給して画像処理すること、及び画像サイズが大きくなるほどバッファの回路規模が大きくなり、生産コストが高くなることが記載されている。
　
ウ　図１の説明として段落００１５には、「本発明は、例えば図１に示す構成のディジタル・スチル・カメラ１に適用される。ディジタル・スチル・カメラ１は、画像信号を生成する画像生成部１０と、画像データに所定の信号処理を行う信号処理部２０と、ＳＤＲＡＭからなるイメージメモリ３２と、信号処理部２０の制御を行う制御部４０とを備える。」
　
エ　「【００４７】また、解像度変換回路２８は、例えば[ｐ×ｑ]の画像データを[ｍ×ｎ]の画像データに変換する解像度変換処理を行うものである。解像度変換回路２８は、主に、ＣＣＤイメージセンサ１１で生成された画像データが高解像度のときに所定の解像度に抑えるために行う処理であるが、低解像度の画像デー夕を高解像度になるように処理してもよい。
【００４８】解像度変換回路２８は、具体的には図５に示すように、画像データバス３３から入力される画像データを記憶する入力バッファ７１と、入力バッファ７１からの画像データを水平方向にバッファリングする水平方向バッファ７２と、水平方向バッファ７２からの画像データに水平方向の解像度変換処理を行う水平方向変換処理回路７３と、水平方向変換処理回路７３からの画像データを垂直方向にバッファリングする垂直方向バッファ７４と、垂直方向の解像度変換処理を行う垂直方向変換処理回路７５と、出力の際にバッファリングをする出力バッファ７６とを備える。」
　
オ　段落００５９ないし００６５には、画像データの垂直方向の解像度を変更する場合として、概略次の記載がある。
　メモリコントローラ２２は、イメージメモリ３２から、垂直方向バッファ７４に、１画面分(ｐ×ｑ画素)の画像データを各ライン毎にＮピクセルずつ垂直方向に読み出す。なお、イメージメモリ３２には、１画面分の画像データが記憶されており、１画面がｐ×ｑピクセルで構成される。
　メモリコントローラ２２は、図１１に示すように、先ず、水平方向にＮピクセル分の画像データを、１行目、２行目、・・・ｑ行目の順に読み出す。すなわち、左端からＮピクセル分の画像データ、すなわち、(１,１)、(１,ｑ)、(Ｎ,ｑ)、(Ｎ,１)で囲まれる範囲(Ｎ×ｐピクセル分)の画像データ群を読み出す。
　また、メモリコントローラは、上記読出しを行った後、次に、(Ｎ-１,１)、(Ｎ-１,ｑ)、(Ｎ-２,ｑ)、(Ｎ-２,１)で囲まれる範囲の画像データを読み出す。また、メモリコントローラ２２は、上記のようにして読み出された直前の画像データ群のうち、最後の２列目の画像データを含むようにして水平方向にＮピクセル分の画像データを各ライン毎に読み出す。
　解像度変換回路２８の垂直方向バッファ７４には、第１から第３のバッファメモリ９１、９２、９３が設けられ、１ラインずつの画像データが記憶される。解像度変換回路２８の垂直方向変換処理回路７５は、３ライン分の画像データに基づいて、補間処理を行い、垂直方向の画像データの解像度変換を行う。
　
カ　段落００６６ないし段落００６８には、次の記載がある。
　「段落【００６６】以上のように、メモリコントローラ２２は、垂直方向[解]像度変換に必要なバッファメモリの容量が１ライン分に満たなくても、バッファメモリの容量に合わせて読み出しを行うことによって、解像度変換回路２８に垂直方向の解像度変換を行わせることができる。
【００６７】なお、ここでは、画像データ群の間の読み出し重複は２列となっているが重複が２列より大きい場合や、重複がない場合も考えられる。また、解像度変換に限らず、カメラ信号処理等の画像信号処理にも適用される。
【００６８】また、ここでは、バッファメモリが垂直方向の補間処理に用いられている場合を例に挙げて説明したが、バッファメモリが水平方向の補間処理に用いられている場合であっても同様である。」
　
２　訂正明細書の請求項１に係る発明
(１)　訂正明細書の請求項１に係る発明は、その特許請求の範囲に記載された次の事項により特定されるとおりのものである。（以下「訂正発明１」という。）
　「【請求項１】デジタルカメラで撮影された、行アドレスと列アドレスとを有する一連の画像データの画像処理方法であって、
(ａ)前記画像データを略等分割に分割指定する工程と、
(ｂ)分割指定された領域毎に画像データをさらに行もしくは列方向に細分割する工程と、
(ｃ)細分割された画像データを順次、所定のメモリにおいて一部を占めるバッファメモリ領域に格納する工程と、
(ｄ)前記バッファメモリ領域に格納された画像データ単位で、画像処理を行う工程と、
(ｅ)前記工程(ｃ)および前記工程(ｄ)を繰り返し、分割指定された画像データに対して画像処理を実行する工程と、
(ｆ)前記工程(ｅ)完了後、前記工程(ｂ)ないし前記工程(ｅ)を繰り返し、前記画像データ全体の画像処理を実行する工程と、
を備えることを特徴とする画像処理方法。」
　 
(２)　対比
　前記アないしウの記載から、「ディジタル・スチル・カメラが有する固体撮像素子で撮像された画像データは、イメージメモリ３２に格納され、信号処理部２０が有する解像度変換回路２８が、メモリコントローラ２２によってイメージメモリ３２から画像データを読出させては解像度変換し、それを再びイメージメモリ３２に格納する。」ことが認められる。
　そして、ディジタル・スチル・カメラによる画像は２次元的な広がりを持ち、それを記憶しているイメージメモリ３２から画像データを読出し、解像度変換し、イメージメモリ３２に格納するわけであるから、その行方向及び列方向のアドレスを用いて読み書きしていることは、当業者に明らかである。
　さらに、刊行物１には、ディジタル・スチル・カメラで撮影され、行方向、列方向の座標で表わされる画像データを処理する画像処理方法であり、
(Ａ)ｐ×ｑビクセルで表わされる画像データから(解像度変換するため)、図１１に示すようにＮ×ｑピクセルに分割している点、
(Ｂ)前記Ｎ×ｑピクセルを構成する細分化された１列のＮビクセルを順次読み出す点、
(Ｃ)読出した細分化されたＮピクセルデー夕をバッファメモリ７４に格納する点
(Ｄ)このバッファメモリ７４に格納された画像データを画像処理を行う点、
(Ｅ)Ｎ×ｑピクセルの処理が完了した場合には、次のＮ×ｑピクセルの処理を行うため、工程(Ｂ)ないし(Ｄ)を繰り返し行い、ｐ×ｑピクセルの画像データ全体に対する画像処理を実行する点、
が記載されている。
　
(３)　相違点
　以上を踏まえ、訂正発明１と刊行物１の画像表示装置とを対比すると、
「デジタルカメラで撮影された、行アドレスと列アドレスとを有する一連の画像データの画像処理方法であって、
(ａ)前記画像データを分割指定する工程と、
(ｂ)分割指定された領域毎に画像データをさらに行もしくは列方向に細分割する工程と、
(ｃ)細分割された画像データを順次、バッファメモリ領域に格納する工程と、
(ｄ)前記バッファメモリ領域に格納された画像データ単位で、画像処理を行う工程と、
(ｅ)前記工程(ｃ)および前記工程(ｄ)を繰り返し、分割指定された画像データに対して画像処理を実行する工程と、
(ｆ)前記工程(ｅ)完了後、前記工程(ｂ)ないし前記工程(ｅ)を繰り返し、前記画像データ全体の画像処理を実行する工程と、
を備えることを特徴とする画像処理方法」の点で一致し、次の点で相違する。
　
相違点１：訂正発明１では、画像データを略等分割に分割指定する工程を備えているのに対し、刊行物１では分割の割合が等分割といえる工程を備えているか否か不明な点。
相違点２：訂正発明１では、細分割された画像データを順次、所定のメモリにおいて一部を占めるバッファメモリ領域に格納する工程を備えているのに対し、刊行物１では、格納するバッファメモリの領域が所定のメモリの一部であることが明記されていない点。
　
(４)　相違点の検討
相違点１について
　刊行物１では、その図１１及びその説明において画像データ群(１)ないし(３)は等分割されていることが明らかであるが、メモリ全体を等分割しているか否か不明なことも確かである。
　そこで検討するに、メモリ全体を処理することが必要な場合、余りが出ないように全体を規則的に等分して処理することは、通常誰もが考えることであり、不規則に分割することは特別な場合を除き採用しないとみることが自然の理解である。
　したがって、刊行物１において等分割することがメモリ全体について示されていなくても当業者であれば容易に想到しうる程度の事項である。
　
相違点２について
　デジタルカメラに使用されるメモリとしてＤＲＡＭは周知なものであり、ＤＲＡＭがバッファメモリとして使用されることも刊行物１の発明を含め当業者に慣用されている技術である。
　刊行物１では、バッファメモリの領域がＤＲＡＭにおいてその占める領域が明らかでないが、デジタルカメラにおいて、イメージデータと共に、イメージデータの管理やイメージデータに付随する管理データが必須なものであることは明らかであるから、刊行物１においてもメモリ全体をバッファとして利用しているとみるよりも、他のデータもメモリに格納しているとみることが自然である。
　なお、デジタルカメラに使用されるＤＲＡＭの一部をデータ管理領域とすることは、例えば、特開平７−７４９９４号公報や特開平１１−３３１７５９号公報にもみられる技術である。
　
　以上、各相違点に何ら進歩性は認められず、また、発明を工程で表した方法の発明についても同様であり、相違点全体としても格別当業者が困難を要した事項は認められない。
　さらに、効果についても当業者が予測し得ない格別顕著な事項は認められない。
　したがって、訂正発明１は、前記刊行物１に記載された発明に基づいて当業者が容易に発明をすることができたものである。
　　
３　請求項２に係る発明
(１)　請求項２に係る発明は、その特許請求の範囲の請求項２に記載された次の事項により特定されるとおりのものである。（以下、訂正されていないが「訂正発明２」という。以下、同様。）
　「【請求項２】　請求項１記載の画像処理方法において、
前記工程(d)における画像処理はマトリクスを用いて行われることを特徴とする画像処理方法。」
　
(２)　訂正発明２の特徴的な要件及び判断
　訂正発明２の特徴は、訂正発明１に加え、画像処理はマトリクスを用いて行う点を、更に要件としている点である。
　そこで検討するに、取消理由に引用した甲第２号証である特開平４−４２３７６号公報（以下「刊行物２」という。）には、デジタル画像処理に関する発明について次の記載がある。
「以下に本発明のフィルタリング処理の実施例について説明する。
　第１図は本発明の実施例の処理手順を示すフロー図である。
　はじめに原画像を上述のようにして分割したサイズがｎ×ｎの小領域のデータを読み込む（第１図Ｓ１）。
　次に、読み込んだｎ×ｎの小領域のデータをフーリエ変換する（Ｓ２）。より詳しくは２次元離散的フーリエ変換（ＤＦＴ）を行う。フーリエ変換の結果の周波数成分の配置は、ｎ×ｎの小領域をフーリエ変換した場合は、第７図（２）のようにｎ×ｎのマトリクス上に配置される。第７図（２）のマトリクスの左上隅７ａが直流成分に相当し、左上７ｂ、右上７ｃ、左下７ｄ、右下７ｅの各隅の周辺が低周波成分、中央部近辺７ｆが高周波数成分に対応する。」（公報３頁左下欄３〜下から２行目）
　刊行物２には、デジタルカメラについての記載はないものの、デジタル画像データを処理する技術に関するものであり、この技術は種々の画像処理に適用できることが明らかであるから、訂正発明２は、当該事項を刊行物１の発明に単に適用したにすぎず、この程度のことは当業者が容易になし得たものと認められる。
　
４　請求項３に係る発明
(１)　請求項３に係る発明は、その特許請求の範囲の請求項３に記載された次の事項により特定されるとおりのものである。（以下、「訂正発明３」という。）
　「【請求項３】　請求項１または請求項２記載の画像処理方法において、
前記工程(d)における画像処理はフィルタ処理であることを特徴とする画像処理方法。」
　
(２)　訂正発明３の特徴的な要件及び判断
　訂正発明３の特徴は、訂正発明１に加え、又は請求項２を引用している部分は、訂正発明２に加え、画像処理はフィルタ処理であることを、更に要件としている点である。
　そこで検討するに、前記刊行物２には、デジタル画像処理に関する発明について、マトリクスを用いての処理に加えてフィルタ処理も記載されており、訂正発明２と同様、訂正発明３は、当該事項を刊行物１の発明に単に適用したにすぎず、この程度のことは当業者が容易になし得たものと認められる。
　
５　請求項４及び５に係る発明
(１)　請求項４及び５に係る発明は、その特許請求の範囲の請求項４及び５に記載された次の事項により特定されるとおりのものである。（以下、「訂正発明４」、「訂正発明５」という。）
　「【請求項４】　請求項１ないし請求項３のいずれかに記載の画像処理方法において、
　前記工程(ｃ)における画像データのバッファメモリ領域への格納は列方向に順次実行され、
　前記工程(ｄ)における画像処理は行方向に順次実行されることを特徴とする画像処理方法。」
「【請求項５】　請求項１ないし請求項３のいずれかに記載の画像処理方法において、
　前記工程(ｃ)における画像データのバッファメモリ領域への格納は行方向に順次実行され、
　前記工程(ｄ)における画像処理は列方向に順次実行されることを特徴とする画像処理方法。」
　
(２)　訂正発明４及び５の特徴的な要件及び判断
　訂正発明４の特徴は、訂正発明１ないし３に加え、バッファメモリへの格納と画像処理の実行方向を、列方向の後、行方向とし、同じく訂正発明５の特徴は、行方向の後、列方向としたことを、更に要件としている点である。
　そこで検討するに、前掲の刊行物１の段落【００６８】には、「また、ここでは、バッファメモリが垂直方向の補間処理に用いられている場合を例に挙げて説明したが、バッファメモリが水平方向の補間処理に用いられている場合であっても同様である。」と記載され、行方向と列方向は当業者が適宜採用しうる程度の変更にすぎないことが理解できる。
　したがって、訂正発明４及び５の発明に当業者が格別推考力を要したとは認められない。
　
６　請求項６に係る発明
(１)　請求項６に係る発明は、その特許請求の範囲の請求項６に記載された次の事項により特定されるとおりのものである。（以下、「訂正発明６」という。）
「【請求項６】　撮影によって得られた行アドレスと列アドレスとを有する一連の画像データをバッファメモリに順次格納し画像処理を繰り返し行うことにより、一連の画像データ全てに対して画像処理を実行する画像処理手段を備えるデジタルカメラであって、
　(ａ)前記画像データを略等分割に分割指定する手段と、
　(ｂ)分割指定された領域毎に画像データをさらに行もしくは列方向に細分割する手段と、
　(ｃ)細分割された画像データを順次、所定のメモリにおいて一部を占めるバッファメモリ領域に格納する手段と、
　(ｄ)前記バッファメモリ領域に格納された画像データ単位で、画像処理を行う手段と、
　(ｅ)分割指定された画像データに対して繰り返し画像処理を実行する手段と、
を備えることを特徴とするデジタルカメラ。」
　
(２)　訂正発明６の特徴的な要件及び判断
　訂正発明６の特徴は、訂正発明１をデジタルカメラという装置で表現した点である。
訂正発明６は訂正発明１と実質的な相違は存在せず、訂正発明１と同様、当業者であれば容易に発明できたものである。
　
７　請求項７に係る発明
(１)　請求項７に係る発明は、その特許請求の範囲の請求項７に記載された次の事項により特定されるとおりのものである。（以下、「訂正発明７」という。）
「【請求項７】デジタルカメラに内蔵されたマイクロコンピュータにインストールされることにより、当該デジタルカメラを請求項６に記載のデジタルカメラとして機能させるためのプログラムを記録してあることを特長とする、コンピュータ読み取り可能な記録媒体。」
　
(２)　訂正発明７の特徴的な要件及び判断
　訂正発明７の特徴は、訂正発明６記載のデジタルカメラを機能させる記録媒体である点である。
　デジタルカメラ内にＣＰＵを設けることやＣＰＵがコンピュータプログラムに従って処理することは、デジタルカメラを含む情報処理の技術常識であり、プログラムを記憶している記憶媒体が存在することも当然のことであり、刊行物１に明確な記載がなくとも、当業者であれば普通に採用する技術といえる。
　したがって、訂正発明７は、単に記録媒体に記録したにすぎず、当業者であれば容易に発明できたものである。
　
第４　むすび
　以上のとおりであるから、本件訂正明細書の訂正発明１ないし７は、前記刊行物に記載された発明に基づいて当業者が容易に発明をすることができたものであるから、本件訂正された請求項１ないし７に係る特許は特許法２９条２項の規定に違反してされたものである。
　したがって、本件訂正発明１ないし７についての特許は、特許法１１３条２号に該当し、取り消されるべきものである。
　よって結論のとおり決定する。
【異議決定日】
平成１６年１１月１２日（２００４．１１．１２）
【訂正の要旨】
審決（決定）の【理由】欄参照。
（５４）【発明の名称】
画像処理方法、デジタルカメラ、および記録媒体
（５７）【特許請求の範囲】
　【請求項１】　デジタルカメラで撮影された、行アドレスと列アドレスとを有する一連の画像データの画像処理方法であって、
　（ａ）前記画像データを
略等分割に
　（ｂ）分割指定された領域毎に画像データをさらに行もしくは列方向に細分割する工程と、
　（ｃ）細分割された画像データを順次
、所定のメモリにおいて一部を占めるバッファメモリ領域
　（ｄ）
前記バッファメモリ領域
　（ｅ）前記工程（ｃ）および前記工程（ｄ）を繰り返し、分割指定された画像データに対して画像処理を実行する工程と、
　（ｆ）前記工程（ｅ）完了後、前記工程（ｂ）ないし前記工程（ｅ）を繰り返し、前記画像データ全体の画像処理を実行する工程と、
を備えることを特徴とする画像処理方法。
　【請求項２】　請求項１に記載の画像処理方法において、
　前記工程（ｄ）における画像処理はマトリクスを用いて行われることを特徴とする画像処理方法。
　【請求項３】　請求項１または請求項２に記載の画像処理方法において、
　前記工程（ｄ）における画像処理はフィルタ処理であることを特徴とする画像処理方法。
　【請求項４】　請求項１ないし請求項３のいずれかに記載の画像処理方法において、
　前記工程（ｃ）における画像データの
バッファメモリ領域
　前記工程（ｄ）における画像処理は行方向に順次実行されることを特徴とする画像処理方法。
　【請求項５】　請求項１ないし請求項３のいずれかに記載の画像処理方法において、
　前記工程（ｃ）における画像データの
バッファメモリ領域
　前記工程（ｄ）における画像処理は列方向に順次実行されることを特徴とする画像処理方法。
　【請求項６】　撮影によって得られた行アドレスと列アドレスとを有する一連の画像データをバッファメモリに順次格納し画像処理を繰り返し行うことにより、一連の画像データ全てに対して画像処理を実行する画像処理手段を備えるデジタルカメラであって、
　（ａ）前記画像データを
略等分割に
　（ｂ）分割指定された領域毎に画像データをさらに行もしくは列方向に細分割する手段と、
　（ｃ）細分割された画像データを順次
、所定のメモリにおいて一部を占めるバッファメモリ領域
　（ｄ）
前記バッファメモリ領域
　（ｅ）分割指定された画像データに対して繰り返し画像処理を実行する手段と、
を備えることを特徴とするデジタルカメラ。
　【請求項７】　デジタルカメラに内蔵されたマイクロコンピュータにインストールされることにより、当該デジタルカメラを請求項６に記載のデジタルカメラとして機能させるためのプログラムを記録してあることを特徴とする、コンピュータ読取り可能な記録媒体。
【発明の詳細な説明】
　【０００１】
　【発明の属する技術分野】
　本発明は、画像処理技術に関し、特にバッファメモリを利用する画像処理技術に関する。
　【０００２】
　【従来の技術】
　デジタルカメラにおける画像処理については、画像処理過程で一時的にデータを格納するバッファメモリを利用して行われている。
　【０００３】
　図１１は、このバッファメモリを利用した従来例に係る画像処理を説明する図である。
　【０００４】
　この画像処理については、画像データを表現するｍ行ｎ列のマトリクスＨｉに関して空間フィルタ処理のためのマトリクスＦｉを方向Ｇ１（Ｘ方向）に１画素づつ移動させて行われる。そして、空間フィルタＦｉがマトリクスＨｉの端部に到達すると方向Ｇ２に移動し方向Ｇ３に１画素づつ移動させる。以上の動作を繰り返すことによって画像データ全体の画像処理が行えることとなる。
　【０００５】
　ここでは、例えばマトリクスＨｉにおける注目画素Ｆｃの直上の画素行および直下の画素行とを、データ配列Ｈｉに対応する列幅ｎを有するバッファエリアのデータ配列Ｈｇに格納して画像処理が行われる。
　【０００６】
　【発明が解決しようとする課題】
　しかしながら、上記の画像処理では、デジタルカメラの画素数の向上による画像データ容量の増加（例えば５００万画素８ビットで約１５ＭＢ）に伴い、それに応じたサイズのバッファメモリが必要となるため、メモリの効率的な利用が求められている。
　【０００７】
　本発明は、上記課題に鑑みてなされたものであり、メモリの有効活用が図れる画像処理技術を提供することを目的とする。
　【０００８】
　【課題を解決するための手段】
　上記の課題を解決するため、請求項１の発明は、デジタルカメラで撮影された、行アドレスと列アドレスとを有する一連の画像データの画像処理方法であって、（ａ）前記画像データを
略等分割に
、所定のメモリにおいて一部を占めるバッファメモリ領域
前記バッファメモリ領域
　【０００９】
　また、請求項２の発明は、請求項１の発明に係る画像処理方法において、前記工程（ｄ）における画像処理はマトリクスを用いて行われる。
　【００１０】
　また、請求項３の発明は、請求項１または請求項２の発明に係る画像処理方法において、前記工程（ｄ）における画像処理はフィルタ処理である。
　【００１１】
　また、請求項４の発明は、請求項１ないし請求項３のいずれかの発明に係る画像処理方法において、前記工程（ｃ）における画像データの
バッファメモリ領域
　【００１２】
　また、請求項５の発明は、請求項１ないし請求項３のいずれかの発明に係る画像処理方法において、前記工程（ｃ）における画像データの
バッファメモリ領域
　【００１３】
　また、請求項６の発明は、撮影によって得られた行アドレスと列アドレスとを有する一連の画像データをバッファメモリに順次格納し画像処理を繰り返し行うことにより、一連の画像データ全てに対して画像処理を実行する画像処理手段を備えるデジタルカメラであって、（ａ）前記画像データを
略等分割に
、所定のメモリにおいて一部を占めるバッファメモリ領域
前記バッファメモリ領域
　【００１４】
　また、請求項７の発明は、デジタルカメラに内蔵されたマイクロコンピュータにインストールされることにより、当該デジタルカメラを請求項６の発明に係るデジタルカメラとして機能させるためのプログラムを記録してある。
　【００１５】
　【発明の実施の形態】
　＜デジタルカメラの要部構成＞
　図１〜図４は、本発明の実施形態に係るデジタルカメラ１の要部構成を示す図であり、図１は正面図、図２は背面図、図３は側面図、図４は底面図に相当する。これらの図は必ずしも三角図法に則っているものではなく、デジタルカメラ１の要部構成を概念的に例示することを主眼としている。
　【００１６】
　デジタルカメラ１は、図１に示すように、箱形のカメラ本体部２と直方体状の撮像部３（太線で図示）とから構成されている。撮像部３は撮像レンズであるマクロ機能付きズームレンズ３０１の後方位置の適所にＣＣＤ（Ｃｈａｒｇｅ　Ｃｏｕｐｌｅｄ　Ｄｅｖｉｃｅ）カラーエリアセンサを備えた撮像回路が設けられている。また、銀塩レンズシャッターカメラと同様に、撮像部３内の適所にフラッシュ光の被写体からの反射光を受光する調光センサ３０５を備えた調光回路と、また被写体の距離を測定するための測距センサＡＦ、光学ファインダー３１が設けられている。
　【００１７】
　一方、撮像部本体３の内部には、上記ズ−ムレンズ３０１のズーム比の変更と収容位置、撮像位置間のレンズ移動を行うためのズームモータＭ１及び合焦を行うためのモータＭ２とが設けられている。
　【００１８】
　カメラ本体部２の前面には、左端部の適所にグリップ部４が設けられ、中央部の上部適所に内蔵フラッシュ５が、カメラ本体部２の上面にはシャッターボタン９が設けられている。
　【００１９】
　一方、図２に示すように、カメラ本体部２の背面には、略中央に撮影画像のモニタ表示（ビューファインダーに相当）及び記録画像の再生表示等を行うための液晶ディスプレイ（ＬＣＤ：Ｌｉｑｕｉｄ　Ｃｒｙｓｔａｌ　Ｄｉｓｐｌａｙ）１０が設けられている。また、ＬＣＤ１０の下方位置に、デジタルカメラの操作を行うキースイッチ群２６と、電源スイッチ２７とが設けられている。また、電源スイッチ２７の左端には、電源ＯＮ状態で点灯するＬＥＤ２８１、メモリカードにアクセス中状態を表示するＬＥＤ２８２が設けられている。
　【００２０】
　更に、カメラ本体部２の背面には、「撮影モード」と「再生モード」とを切替設定する撮影／再生モード設定スイッチ１４が設けられている。撮影モードは、写真撮影を行うモードであり、再生モードは、メモリカード８に記録された撮影画像をＬＣＤ１０に再生表示するモードである。撮影／再生モード設定スイッチ１４は、３接点のスライドスイッチからなり、例えば下にセットすると撮影モードが、中央にセットすると再生モードが、上にセットするとメニューモードが設定される。
　【００２１】
　また、カメラ背面右方には、４連スイッチ２８が設けられており、ボタン２８１、２８２を押すことにより、ズームモータＭ１を駆動することによってズーミングを行い、ボタン２８３、２８４を押すことによって露出補正を行う。
　【００２２】
　さて、図２において、撮像部３の背面側には、ＬＣＤ表示をオンオフされるためのＬＣＤボタン３２が設けられており、このＬＣＤボタン３２を押す毎にＬＣＤ表示のオンオフ状態が切り替わる。例えば、専ら、光学ファインダー３１のみを用いて撮影するときには、節電の目的で、ＬＣＤ表示をオフするようにする。マクロ撮影時には、マクロボタン３３を押すことにより、フォーカスモータＭ２が駆動されレンズ３０１がマクロ撮影可能な状態になる。
　【００２３】
　図３の側面図に示すように、デジタルカメラ１の側面には、ＤＣ入力端子２９が設けられている。
　【００２４】
　図４に示すように、カメラ本体部２の底面には、電池充填室１８と２枚のメモリカード８ａ、８ｂのカード充填室１７（１７ａ、１７ｂ）とが設けられ、充填口１７は、クラムシェルタイプの蓋１５ａにより閉塞されるようになっている。この蓋１５ａには、開口部が設けられており、カード充填室１７にメモリカード以外のカード、例えばＵＳＢカード等を装着した場合でもカードのコネクタ部分が外部に露出しているため、蓋１５ａを閉じた状態で外部機器と結線することが可能な構成となっている。
　【００２５】
　また、デジタルカメラ１は、４本の単三形乾電池を直列接続してなる電源電池Ｅを駆動源としている。
　【００２６】
　＜デジタルカメラ１の機能ブロック＞
　図５は、デジタルカメラ１の機能ブロック図である。
　【００２７】
　まず、撮像部３の内部ブロックに関して説明する。
　【００２８】
　ＣＣＤ３０３は、ｍ行ｎ列の画素配列を有し、レンズ３０１により結像された被写体の光像を、Ｒ（赤）、Ｇ（緑）、Ｂ（青）の色成分の画像信号（各画素で受光された画素信号の信号列からなる信号）に光電変換して出力する。
　【００２９】
　撮像部３における露出制御は、絞りが固定的となっているので、ＣＣＤ３０３の露光量、すなわちシャッタースピードに相当するＣＣＤ３０３の電荷蓄積時間を調整して行われる。被写体輝度が低輝度時に適切なシャッタースピードが設定できない場合には、ＣＣＤ３０３から出力される画像信号のレベル調整を行うことにより露光不足による不適正露出が補正される。すなわち、低輝度時は、シャッタースピードとゲイン調整とを組み合わせて露出制御が行われる。画像信号のレベル調整は、信号処理回路３１３内のＡＧＣ回路３１３ｂのゲイン調整において行われる。
　【００３０】
　タイミングジェネレータ（ＴＧ）３１４は、タイミング制御回路２０２から送信される基準クロックに基づきＣＣＤ３０３の駆動制御信号を生成するものである。タイミングジェネレータ３１４は、例えば、積分開始／終了（露出開始／終了）のタイミング信号、各画素の受光信号の読出制御信号（水平同期信号、垂直同期信号、転送信号等）等のクロック信号を生成し、ＣＣＤ３０３に出力する。
　【００３１】
　信号処理回路３１３は、ＣＣＤ３０３から出力される画像信号（アナログ信号）に所定のアナログ信号処理を施すものである。信号処理回路３１３は、ＣＤＳ（相関二重サンプリング）回路３１３ａとＡＧＣ（オートゲインコントロール）回路３１３ｂとを有し、ＣＤＳ回路３１３ａにより画像信号のノイズの低減を行い、ＡＧＣ回路３１３ｂでゲインを調整することにより画像信号のレベル調整を行う。
　【００３２】
　調光回路３０４は、フラッシュ撮影における内蔵フラッシュ５の発光量を全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から制御部内に設けられたＦＬ制御回路から発光停止信号ＳＴＰが出力される。フラッシュ制御回路２１７は、この発光停止信号ＳＴＰに応答して内蔵フラッシュ５の発光を強制的に停止し、これにより内蔵フラッシュ５の発光量が所定の発光量に制御される。
　【００３３】
　次に、カメラ本体部２の内部ブロックに関して説明する。
　【００３４】
　カメラ本体部２内において、Ａ／Ｄ変換部２０５は、画像信号の各画素信号を１０ビットのデジタル信号に変換するものである。Ａ／Ｄ変換部２０５は、タイミング制御回路２０２から入力されるＡ／Ｄ変換用のクロックに基づいて各画素信号（アナログ信号）を１０ビットのデジタル信号に変換する。
　【００３５】
　カメラ本体部２内には、基準クロック、タイミングジェネレータ３１４、Ａ／Ｄ変換器２０５に対するクロックを生成するタイミング制御回路２０２が設けられている。タイミング制御回路２０２は、全体制御部２１１により制御される。
　【００３６】
　黒レベル補正回路２０６は、Ａ／Ｄ変換された画素信号（以下、画素データ）を基準の黒レベルに補正するものである。また、ＷＢ回路２０７は、γ補正後にホワイトバランスも併せて調整されるように、Ｒ、Ｇ、Ｂの各色成分の画素データのレベル変換を行うものである。ＷＢ回路２０７は、全体制御部２１１から入力される、レベル変換テーブルを用いてＲ、Ｇ、Ｂの各色成分の画素データのレベルを変換する。なお、レベル変換テーブルの各色成分の変換係数（特性の傾き）は全体制御部２１１により撮影画素毎に設定される。
　【００３７】
　γ補正回路２０８は、画素データのγ特性を補正するものである。ＤＲＡＭ２０９は、その一部が画像メモリとして機能し、Ａ／Ｄ変換部２０５から出力される画素データを記憶するメモリである。また、ＤＲＡＭ２０９は、ＣＣＤ３０３がｍ行ｎ列の画素を有している場合、ｍ×ｎ画素分の画素データ以上の記憶容量を有し、各画素データが対応する画素位置に記憶されるようになっている。
　【００３８】
　図６は、このＤＲＡＭ２０９内のメモリ領域の割付けを示す概念図である。
　【００３９】
　ＤＲＡＭ２０９は、複数のメモリ領域に区分されており、その中にはプログラムを格納する領域Ｍｐ、ＣＣＤ３０３によって取得した画像データを格納する領域Ｍｉ、後述する画像処理の際に利用するバッファエリアＭｂが割当てられている。
　【００４０】
　図５に戻って説明を続ける。
　【００４１】
　ＶＲＡＭ２１０は、ＬＣＤ１０に再生表示される画像データのバッファメモリである。ＶＲＡＭ２１０は、ＬＣＤ１０の画素数に対応した画像データの記憶容量を有している。
　【００４２】
　撮影モードにおいて、撮影待機状態においては、撮像部３により所定間隔毎に撮像された画像の各画素データをＡ／Ｄ変換器２０５〜γ補正回路２０８により所定の信号処理を施された後、ＤＲＡＭ２０９に記憶されるとともに、全体制御部２１１を介してＶＲＡＭ２１０に転送され、ＬＣＤ１０に表示される（ライブビュー表示）。これにより撮影者は、ＬＣＤ１０に表示された画像により被写体像を視認することができる。また、再生モードにおいては、メモリカード８から読出された画像が全体制御部２１１で所定の信号処理が施された後、ＶＲＡＭ２１０に転送され、ＬＣＤ１０に再生表示される。
　【００４３】
　カードＩ／Ｆ２１２は、メモリカード８への画像データの書込み及び画像データの読出しを行うためのインターフェースである。上述の通り、このデジタルカメラ１においては、２枚のメモリカード８の装着が可能であり、カード装填室１７ａ、１７ｂも２つある。
　【００４４】
　フラッシュ制御回路２１７は、内蔵フラッシュ５の発光を制御する回路である。フラッシュ制御回路２１７は、全体制御部２１１の制御信号に基づき内蔵フラッシュ５の発光の有無、発光量及び発光タイミング等を制御し、調光回路３０４から入力される発光停止信号ＳＴＰに基づき、内蔵フラッシュ５の発光量を制御する。
　【００４５】
　ＲＴＣ２１９は、撮影日時を管理するための計時回路である。図示しない別の電源で駆動される。
　【００４６】
　操作部２５０は、上述した、各種スイッチ、ボタンが設けられている。
　【００４７】
　シャッターボタン９は、銀塩カメラで採用されているような半押し状態（Ｓ１）と押し込んだ状態（Ｓ２）とが検出可能な２段階スイッチになっている。待機状態でシャッターボタン９を半押し（Ｓ１）状態にすると、測距センサからの測距情報によって距離情報を全体制御部２１１へ入力する。全体制御部２１１の指示によって、ＡＦモータＭ２を駆動し、合焦位置へレンズ３０１を移動させる。
　【００４８】
　全体制御部２１１は、ＣＰＵからなり、上述した撮像部３内及びカメラ本体部２内の各部材の駆動を有機的に制御してデジタルカメラ１の撮影動作を総括制御するものである。この全体制御部２１１のフラッシュＲＯＭ２１１ａには、記録媒体であるメモリカード８に記録されているプログラムデータをカードＩ／Ｆ２１２を介して格納することができる。これにより、この格納したプログラムをデジタルカメラ１の動作に反映することができる。
　【００４９】
　また、全体制御部２１１は、露出制御値（シャッタースピード（ＳＳ））を設定するための輝度判定部とシャッタースピード設定部とを備えている。輝度判定部は、撮影待機状態において、ＣＣＤ３０３により１／３０（秒）毎に取り込まれる画像を利用して被写体の明るさを判定するものである。すなわち、輝度判定部は、ＤＲＡＭ２０９に更新的に記憶される画像データを用いて被写体の明るさを判定するものである。
　【００５０】
　シャッタースピード設定部は、輝度判定部による被写体の明るさの判定結果に基づいてシャッタースピード（ＣＣＤ３０３の積分時間）を設定するものである。
　【００５１】
　さらに、全体制御部２１１は、上記撮影画像の記録処理を行うために、フィルタ処理を行うフィルタ部とサムネイル画像および圧縮画像を生成する記録画像生成部とを備え、メモリカード８に記録された画像をＬＣＤ１０に再生するために、再生画像を生成する再生画像生成部を備えている。
　【００５２】
　フィルタ部は、デジタルフィルタにより記録すべき画像の高周波成分を補正して輪郭に関する画質の補正を行うものである。
　【００５３】
　記録画像生成部は、ＤＲＡＭ２０９から画素データを読み出してメモリカード８に記録すべきサムネイル画像と圧縮画像とを生成する。記録画像生成部は、ＤＲＡＭ２０９内の処理済画像データをラスタ走査方向に走査しつつ、横方向と縦方向との両方向でそれぞれ８画素毎に画素データを読み出し、順次、メモリカード８に転送することで、サムネイル画像を生成しつつ、メモリカード８ａまたは８ｂに記録する。
　【００５４】
　メモリカード８への記録に際しては、ＤＲＡＭ２０９から全画素データを読み出し、これらの画素データに２次元ＤＣＴ変換、ハフマン符号化等のＪＰＥＧ方式による所定の圧縮処理を施す。
　【００５５】
　全体制御部２１１は、撮影モードにおいて、シャッターボタン９により撮影が指示されると、撮影指示後にＤＲＡＭ２０９に取り込まれた画像のサムネイル画像と圧縮率設定スイッチ１２で設定された圧縮率によりＪＰＥＧ方式で圧縮された圧縮画像とを生成し、撮影画像に関するタグ情報（コマ番号、露出値、シャッタースピード、圧縮率、撮影日、撮影時のフラッシュのオンオフのデータ、シーン情報、画像の判定結果等の情報）とともに両画像をメモリカード８に記憶する。
　【００５６】
　図７に示すように、デジタルカメラ１によって記録された画像の各コマは、タグの部分とＪＰＥＧ形式で圧縮された高解像度の画像データ（１６００×１２００画素）とサムネイル表示用の画像データ（８０×６０画素）とが記録されている。この１コマ分の画像データの容量は、約１ＭＢとなっている。
　【００５７】
　撮影／再生モード設定スイッチ１４を再生モードに設定したときには、メモリカード８内のコマ番号の最も大きな画像データが読み出され、全体制御部２１１内の再生画像生成部にて、データ伸張され、これがＶＲＡＭ２１０に転送されることにより、ＬＣＤ１０には、コマ番号の最も大きな画像すなわち直近に撮影された画像が表示される。
　【００５８】
　＜デジタルカメラ１の動作＞
　図８は、デジタルカメラ１における画像処理の動作を示すフローチャートである。この動作については、全体制御部２１１において自動的に実行される。
　【００５９】
　また、図９は、デジタルカメラ１における画像処理を説明するための図である。図９（ａ）は、画像データのメモリ領域Ｍｉ（図６）を表現した画素マトリクスＨｉを示している。このマトリクスＨｉについては、ＣＣＤ３０３の画素行列に対応してｍ行ｎ列となっている。図９（ａ）において、列方向がＸ方向、行方向がＹ方向を示している。図９（ｂ）は、上記のバッファエリアＭｂ（図６）を表現した画素マトリクスＨｂを示している。
　【００６０】
　この画像処理として、次の数１に示すする３行３列の平滑化の空間フィルタＦｉを用いた処理を例に挙げて説明する。
　【００６１】
　【数１】
　【００６２】
　空間フィルタＦｉにおいては、数１に示す行列の中心（２行２列目）が画像処理で着目される注目画素に相当することとなる。この空間フィルタＦｉについては、マトリクスＨｂに内包されるとともに、マトリクスＨｂのＹ方向の幅に応じた正方行列となっている。
　【００６３】
　ステップＳ１では、マトリクスＨｉをＸ方向（列方向）に２つのマトリクスＨ１（平行斜線で図示）、Ｈ２に等分割指定する。具体的には、等分割されるメモリアドレスを指定する。ここで、マトリクスＨ１、Ｈ２のＸ方向の画素数は、（ｎ／２＋１）となっている。このように、厳密に２等分されずに境界部分に１画素分のマージンを見込んでいるのは、中心線Ｃｘ近傍の画素に関してステップＳ２での画像処理により不連続とならないようにするためである。
　【００６４】
　ステップＳ２では、マトリクスＨ１に関して空間フィルタＦｉを方向Ｄ１（Ｘ方向）に１画素づつ移動させながら画像処理を行う。この画像処理においては、例えばマトリクスＨ１における注目画素Ｆｃの画素行直上の画素行および直下の画素行とをマトリクスＨｂに格納して順次画像処理を行い、その処理結果をマトリクスＨ１における注目画素Ｆｃに戻す。これにより、空間フィルタＦｉによるフィルタ処理が適切に行えることとなる。
　【００６５】
　ここで、空間フィルタＦｉの右端がマトリクスＨ１の右端に到達した場合には、方向Ｄ２に示すようにＹ方向に１画素分移動させるとともに、空間フィルタＦｉの左端をマトリクスＨ１の左端に移動させる。この際、マトリクスＨｂには、マトリクスＨｉにおける１行下に移動した注目画素の直上の行および直下の行のデータが更新して格納される。そして、上記と同様に、空間フィルタＦｉを方向Ｄ３（Ｘ方向）に１画素づつ移動させながら画像処理を行う。このように、行方向に細分割してラスタ走査しつつ画像処理を行うことにより、確実に画像処理が行えるとともに画像処理の高速化が図れることとなる。
　【００６６】
　この画像処理で利用されるバッファエリアＨｂのＸ方向の長さは、分割された領域となるマトリクスＨ１のＸ方向の分割長さと等しくなっている。
　【００６７】
　ステップＳ３では、マトリクスＨ１についての画像処理が完了したか、すなわち、空間フィルタＦｉの端が最下行右端Ｅに到達したかを判定する。ここで、画像処理が完了した場合には、ステップＳ４に進み、完了していない場合には、ステップＳ２に戻る。
　【００６８】
　ステップＳ４では、ステップＳ２の動作と同様に、マトリクスＨ２に関して空間フィルタＦｉをラスタ走査しつつ画像処理を行う。
　【００６９】
　ステップＳ５では、ステップＳ３と同様に、マトリクスＨ２について画像処理が完了したかを判定する。ここで、画像処理が完了していない場合には、ステップＳ４に戻る。
　【００７０】
　以上のデジタルカメラ１の動作により、バッファエリアのサイズが、図１１（ｂ）に示すメモリ領域Ｈｇに対して約１／２で足り、ＤＲＡＭ２０９のうちバッファエリアが占めるメモリ領域を低減できるため、メモリの有効活用が図れることとなる。
　【００７１】
　＜変形例＞
　◎上記の実施形態については、列方向に２分割するのは必須でなく、図１０に示すように行方向に２分割して画像処理を行っても良い。
　【００７２】
　図１０は、本発明の変形例に係る画像処理を説明するための図である。図１０（ａ）は、画像データのメモリ領域Ｍｉ（図７）を画素行列で表現したマトリクスＨｉを示している。
　【００７３】
　この画像処理については、マトリクスＨｉをＹ方向（行方向）に２等分するように２つのマトリクスＨ３、Ｈ４に分割し、それぞれのマトリクスＨ３、Ｈ４について上記実施形態と同一の空間フィルタＦｉをＹ方向にラスタ走査（方向Ｅ１、Ｅ２、Ｅ３）しつつ画像処理を行う。この分割においても、マージンとして中心線Ｃｙに隣接する１画素分を見込んでいる。
　【００７４】
　この場合、上記実施形態と同様に、マトリクスＨｉを分割しているため、バッファエリアのマトリクスＨｃの画素数が減少することとなる。
　【００７５】
　これにより、バッファエリアのサイズが、図１１（ｂ）に示すメモリ領域Ｈｇに対して約１／２で足り、ＤＲＡＭ２０９のうちバッファエリアが占めるメモリ領域を低減できるため、メモリの有効活用が図れることとなる。
　【００７６】
　◎画像データについては、２分割を行うのは必須でなく、３分割以上でも良い。この場合には、メモリ領域の低減がさらに図れることとなる。
　【００７７】
　また、分割については、等分割するのは必須でなく、相互に大きさの異なる分割を行っても良い。さらに、行方向、列方向各々に分割を行っても良い。
　【００７８】
　画像処理については、本実施形態に示した平滑化フィルタ処理だけでなく、シェーディング補正にも適用できる。さらに撮影時のみだけでなく、記録されている画像データを読み出してＬＣＤ１０に表示する際にも用いられる。
　【００７９】
　◎バッファエリアの幅については、ｉ行ｊ列の空間フィルタを用いる場合、一般的に画素数ｊとなるが、また画素数ｊより大きくても良い。
　【００８０】
　◎バッファメモリについては、ＤＲＡＭの中に設けるのは必須でなく、独立して設けても良い。
　【００８１】
　【発明の効果】
　以上説明したように、請求項１ないし請求項７の発明によれば、
略等分割に
バッファメモリ領域
　【００８２】
　特に、請求項２の発明については、画像処理がマトリクスを用いて行われるため、画像処理が適切に行える。
　【００８３】
　また、請求項３の発明については、画像処理がフィルタ処理であるため、画像処理が迅速に行える。
【図面の簡単な説明】
　【図１】
　本発明の実施形態に係るデジタルカメラ１の要部構成を示す図である。
　【図２】
　デジタルカメラ１の要部構成を示す図である。
　【図３】
　デジタルカメラ１の要部構成を示す図である。
　【図４】
　デジタルカメラ１の要部構成を示す図である。
　【図５】
　デジタルカメラ１の機能ブロック図である。
　【図６】
　ＤＲＡＭ２０９内のメモリ領域割付けを示す概念図である。
　【図７】
　メモリカード８に記録される画像データの構成を示す図である。
　【図８】
　デジタルカメラ１における画像処理の動作を示すフローチャートである。
　【図９】
　デジタルカメラ１における画像処理を説明するための図である。
　【図１０】
　本発明の変形例に係る画像処理を説明するための図である。
　【図１１】
　従来例に係る画像処理を説明するための図である。
　【符号の説明】
　１　デジタルカメラ
　２０９　ＤＲＡＭ
　２１１　全体制御部
　３０３　ＣＣＤ
　Ｆｉ　空間フィルタ
　Ｈｉ　画像データのマトリクス
　Ｈ１、Ｈ２、Ｈ３、Ｈ４　分割された画像データのマトリクス
　Ｈｂ、Ｈｃ、Ｈｇ　バッファエリアのマトリクス